(57)【要約】      （修正有）【課題】煩雑な作業を必要とせずに、表示対象とする月のカレンダー用紙を選びやすく、かつケースから引き出しやすい卓上カレンダーを提供する。【解決手段】片面又は両面に少なくとも１ヶ月分の暦が記載された暦表示面を有するカレンダー用紙２と、カレンダー用紙２を複数枚重ね合わせて収納できる収納部１０と、収納部１０からカレンダー用紙２を引き出せる開放部１１を有するケース３とを備える。カレンダー用紙２は、その周縁部の少なくとも一部がケース３に収納された状態で開放部１１から突出されるとともに、暦表示面に表示されたいずれかの月が記載された突設部５が設けられ、ケース３は、複数枚重ね合わせたカレンダー用紙２の中で最前面にあるカレンダー用紙２の暦表示面を目視可能にした表示部１２を設けられている。【選択図】図４
0003178132.tif 000002
【実用新案登録請求の範囲】
【請求項１】
片面又は両面に少なくとも1ヶ月分の暦が記載された暦表示面を有するカレンダー
用紙と、
前記カレンダー用紙を複数枚重ね合わせて収納できる収納部と、前記収納部から前記
カレンダー用紙を引き出せる開放部を有するケースとを備え、
前記カレンダー用紙は、その周縁部の少なくとも一部が前記ケースに収納された状態
で前記開放部から突出されるとともに、前記暦表示面に表示されたいずれかの月が記載
された突設部が設けられ、
前記ケースは、複数枚重ね合わせた前記カレンダー用紙の中で最前面にある前記カレ
ンダー用紙の前記暦表示面を目視可能にした表示部を設けられていること
を特徴とする卓上カレンダー。
【請求項２】
前記ケースに卓上で立脚状態に保持する支持部材を有すること
を特徴とする請求項１に記載の卓上カレンダー。
【考案の詳細な説明】
【技術分野】
【０００１】
本考案は、複数枚のカレンダー用紙を重ねて机の上に立て掛けて使用する卓上カレンダーに関する。
【背景技術】
【０００２】
卓上カレンダーは、机上で立て掛けて使用されるカレンダーである。一般的には、その年の１月から１２月までの月別の暦が記載されたカレンダー用紙を１２ヶ月分重ねて、ケースに入れられたり、金属製やプラスチック製等のリング状の綴じ具で綴じられたりしている。さらに、机上に立て掛けるための支持部材がそのケースやカレンダー用紙そのものに取り付けられている。従来より、この卓上カレンダーの形状や構造は、多種多様である。
【０００３】
例えば、特許文献１の開示技術では、ケースやカレンダー用紙の背面上部に少なくとも一つ以上の突設部を設けている。この突片部に別のカレンダー用紙の下縁部を差し込むことで、当該カレンダー用紙の姿勢を保持し、ケースの最前面に表示されたカレンダー用紙と突片部に差し込まれたカレンダー用紙の２枚を同時に視認することが可能となる。
【０００４】
一方、特許文献２及び特許文献３の開示技術では、カレンダー用紙に加えてメッセージや電話番号等の付加情報を記載した用紙を同じケースに入れて一体化させている。その際に、この付加情報を記載した用紙をケースから引き出しやすくするために、その用紙の周辺の一部に突出したインデックス部を設けている。
【先行技術文献】
【特許文献】
【０００５】
【特許文献１】実用新案登録第３１４７４０５号公報
【特許文献２】実用新案登録第３０２５９１７号公報
【特許文献３】実用新案登録第３０４３８８９号公報
【考案の概要】
【考案が解決しようとする課題】
【０００６】
ところで、特許文献１の開示技術では、カレンダー用紙にインデックス部がないため、表示対象とする月のカレンダー用紙を選び難く、ケースからも引き出し難い。このため、表示対象とする月のカレンダー用紙を最前面に配置したり、突片部にカレンダー用紙を設置したりする際に、カレンダー用紙の入れ替え作業が、煩雑になるという問題点があった。
【０００７】
特許文献２及び特許文献３の開示技術では、その用紙の周辺にインデックス部があるのでケースから引き出しやすくなっている。しかし、そのインデックス部があるのは、メッセージや電話番号等の付加情報の用紙に限定されている。つまり、カレンダー用紙にはインデックス部がないため、特許文献１と同様に、カレンダー用紙の入れ替え作業が、煩雑になるという問題点は解消されていない。
【０００８】
そこで、本考案は、上述した問題点に鑑みて案出されたものであり、その目的とする
ところは、煩雑な作業を必要とせずに、表示対象とする月のカレンダー用紙を選びやす
く、かつケースから引き出しやすくする卓上カレンダーを提供することにある。
【課題を解決するための手段】
【０００９】
前記課題を解決するために、本考案に係る卓上カレンダーは、次のように構成する。
【００１０】
前記請求項１記載の考案は、片面又は両面に少なくとも１ヶ月分の暦が記載された前記暦表示面を有する前記カレンダー用紙と、前記カレンダー用紙を複数枚重ね合わせて収納できる前記収納部と、前記収納部から前記カレンダー用紙を引き出せる前記開放部を有するケースとを備え、前記カレンダー用紙は、その周縁部の少なくとも一部が前記ケースに収納された状態で前記開放部から突出されるとともに、前記暦表示面に表示されたいずれかの月が記載された前記突設部が設けられ、前記ケースは、複数枚重ね合わせた前記カレンダー用紙の中で最前面にある前記カレンダー用紙の前記暦表示面を目視可能にした表示部を設けられていることを特徴とする。
【００１１】
前記請求項２記載の考案は、前記ケースに卓上で立脚状態に保持する前記支持部材を有  することを特徴とする請求項１に記載の卓上カレンダーが提供される。
【考案の効果】
【００１２】
前記請求項１記載の発明によると、前記カレンダー用紙に前記突設部を設けることで、この前記突設部が、以下のような複数の役割を果たして、前記卓上カレンダーの機能が同時に向上する。
【００１３】
第一に、前記ケースの前記表示部に表示されたいずれかの月を前記突設部に記載することで、前記突設部がインデックスの役割を果たす。これにより、自分が選びたい月を容易に選ぶことができる。
【００１４】
第二に、前記突設部が取っ手として機能することにより、前記カレンダー用紙を簡単に引き出すことができる。
【００１５】
第三に、前記カレンダー用紙の引き出しが簡単になることで、前記カレンダー用紙の入れ替えも煩雑な作業なく簡単にできる。
【００１６】
第四に、前記カレンダー用紙の入れ替えの際に、抜き出された前記カレンダー用紙を所定の場所でなく、前記カレンダー用紙の束のいかなる場所に挿入して戻しても、前記突設部があることにより当該カレンダー用紙は、容易に視認可能となる。
【００１７】
第五に、引き出された一つの前記カレンダー用紙と前記ケースの前記表示部に表示された最前面にある他の前記カレンダー用紙とを上下に並べることができる。これにより、それぞれの前記カレンダー用紙の前記暦表示面に記載された月同士の比較がしやすくなる。このため、互いに異なる複数月の予定を確認するときの一覧性が向上する。
【００１８】
第六に、前記ケースの前記表示部に表示された最前面にある前記カレンダー用紙の予定を確認しながら、前記ケースから引き出された他の前記カレンダー用紙に予定を容易に書き込むことができる。
【００１９】
第七に、前記ケースの前記表示部が開放されていることより、最前面にある前記カレンダー用紙に直接書き込みができる。
【００２０】
前記請求項２記載の発明によると、前記卓上カレンダーに前記支持部材を設けることで机上で立脚可能になり、机上に立て掛けて安定して置くことができる。これにより、前記請求項１に記載の前記突設部を設けることによる、互いに異なる前記カレンダー用紙の同時視認を行う際や前記カレンダー用紙の入れ替え作業を行う際等にも机上でより使いやすくなる。
【図面の簡単な説明】
【００２１】
【図１】本考案を適用した卓上カレンダーの正面図である。
【図２】(a)は、卓上カレンダーの支持部材を組み立てる前の側面図である。(b）は、(a)の側面図の上端部の拡大図である。(c)は、(a)の側面図の下端部の拡大図である。
【図３】卓上カレンダーの支持部材を組み立てる前の平面図である。
【図４】卓上カレンダーの支持部材を組み立てた後に、机上に置いた際の正面斜視図であ  る。
【図５】卓上カレンダーで使用されるカレンダー用紙のみを１２ヶ月分順番に並べた際の  斜視図である。
【図６】カレンダー用紙単体の正面図である。
【図７】卓上カレンダーにおいて、最前面のカレンダー用紙の突設部を手で持って、カレ  ンダー用紙を入れ替えようとしている際の図である。
【図８】卓上カレンダーの複数のカレンダー用紙を同時に視認しながら、引き出した方の  カレンダー用紙にスケジュールを書き込む際の図である。
【図９】卓上カレンダーの支持部材を組み立てる前の背面図である。
【図１０】卓上カレンダーの支持部材を組み立てた後の背面図である。
【図１１】卓上カレンダーの支持部材を組み立てた後に、机上に置いた際の背面斜視図で  ある。
【図１２】卓上カレンダーを組み立てた後に、机上に置いた際の側面図である。
【図１３】卓上カレンダーのケースを展開した図である。
【考案を実施するための形態】
【００２２】
以下、本考案を実施するための最良の形態として、卓上カレンダーについて、図面を参照しながら詳細に説明する。
【００２３】
図１は、卓上カレンダー１の正面図を示している。図２(a)は、卓上カレンダー１の支持部材１８を組み立てる前の側面図である。図２(b）は、(a)の側面図の上端部の拡大図である。図２(c)は、(a)の側面図の下端部の拡大図である。図３は、卓上カレンダー１の支持部材１８を組み立てる前の平面図である。図４は、卓上カレンダー１の支持部材１８を組み立てた後に、机上に置いた際の正面斜視図である。
【００２４】
本考案に係る卓上カレンダー１は、図５に示すようにカレンダー用紙２が複数枚重ね合わせて束ねられた状態で、図１に示すようにケース３に収納されている。
【００２５】
単体のカレンダー用紙２は、図６に示すように前面に暦表示面４が設けられ、その周縁上部の一部に突出する状態で突設部５が設けられている。カレンダー用紙２は、略長方形状であるが、これに限定されず、ケース３に収納できれば四隅が曲率を帯びていてもいかなる形状でもよい。
【００２６】
暦表示面４は、その全面に当月のカレンダー６が記載され、その左上に前月のカレンダー７が記載され、その右上に次月のカレンダー８が記載されている。このように図６では、暦表示面４に３ヶ月分のカレンダーが記載されている場合を例に挙げているが、これに限定されず１ヶ月分や２ヶ月分のカレンダーが記載されたものであっても、３ヶ月分を超えるカレンダーが記載されたものであってもよい。また、暦表示面４は、カレンダー用紙２の表側に記載されているものに限定されることなく、カレンダー用紙２の裏側に記載されているものでもよい。裏側に記載されるカレンダーも１ヶ月分に限定されずに複数月が記載されていてもよい。
【００２７】
突設部５は、図６では、略長方形状であるが、これに限定されず半円形状であっても
いかなる形状であってもよい。また突設部５は、暦表示面４に記載されたカレンダーのいずれかの月が記載されている。このため、この突設部５が、自分が選びたい月を選ぶ際のインデックスにもなっている。図６では、表側の暦表示面４に記載された当月のカレンダー６の月が、突設部５の表側に記載されている場合を例に挙げている。しかし、これに限定されずに、カレンダー用紙２の両面に暦表示面４がある場合には、裏側の暦表示面４に記載されたカレンダーのいずれかの月が、突設部５の裏側に記載されていてもよい。また、この突設部５には、月の数字が記載されていることに限定されずに、１月〜１２月の各月に対応したイラストが描かれていてもよく、その他、形状や段差等で各月が差別化されていてもよい。図５では、突設部５は、カレンダー用紙２の周縁上部の一部に突出する状態で設けられているが、これに限定されずに突設部５の代替物としては、突設部５が付箋やシールで構成されて、カレンダー用紙２の周縁上部に貼り付けていてもよい。さらに、各突設部５は、互いに異なる色彩を施すこともできる。例えば、１月を赤色、２月をオレンジ、３月を黄色、４月をエメラルドグリーン、５月を黄緑、６月を緑、７月を水色、８月を青、９月を紫、１０月をベージュ、１１月をピンク、１２月を朱色とする。このように、冬の時期は、クリスマスカラーの赤系統の色に、春や新緑の時期は、草木を表す緑系統の色に、夏の時期は、海をイメージさせる青系統の色に、秋は、紅葉をイメージさせるベージュ系統の色にして、四季を感じさせる色にすることもできる。各月の数字だけでなく、各突設部５そのものを互いに異なる色にすることで、より自分が選びたい月を視覚的に選びやすくなる。なお、突設部５の横方向の幅は、各月とも全て同じ幅である方がよい。これにより、カレンダー用紙２を所定の場所以外の場所に挿入しても突設部５同士が重ならないようにすることができる。また、互いに隣接する突設部５同士は、間隔が少し空いてもよい。これにより、突設部５は、手でより持ちやすくすることができる。
【００２８】
ケース３は、正面板９と、正面板９と対向する背面板２０と、正面から見て右側面に正面板９及び背面板２０に直交する形で設けられた右側面板３５と、正面から見て左側面に正面板９及び背面板２０に直交する形で設けられた左側面板３７と、正面板９と背面板２０と右側面板３５と左側面板３７の４面それぞれの下部底辺に直交する形で設けられた下面板３９と、正面板９と背面板２０と右側面板３５と左側面板３７と下面板３９の５面に囲まれ複数枚のカレンダー用紙２を重ね合わせて収納させることができる収納部１０と、収納部１０の上端部にカレンダー用紙２を引き出せるように開口された開放部１１とを備えている。
【００２９】
図１及び図４に示すとおり、カレンダー用紙２の突設部５は、複数枚のカレンダー用紙２がケース３の収納部１０に収納された状態で開放部１１より上方に突出している。
図１及び図４では、突設部５は開放部１１より上方に突出しているが、これに限定されずにケース３の開放部１１が側面にあった場合は、カレンダー用紙２の左右の端部の一部に突設部５を設け、開放部１１から側面方向に突出させてもよい。また、各突設部５は、図１、図４及び図５に示すとおり、カレンダー用紙２の周縁上部に１２ヶ月分を各月ごとに隣接する突設部５同士が互いに横方向に少しずつずらして設けられている。これにより、卓上カレンダー１は、正面方向から見て１２ヶ月分の突設部５に記載された月が全て重ならずに視認される。このため、複数枚あるカレンダー用紙２の中で、自分が選びたい月のカレンダー用紙２を選びやすくなっている。また、これと同時に、突設部５は、開放部１１より上方に突出してかつ隣接する突設部５同士が互いに横方向にずれていることにより、手で持ってカレンダー用紙２をケース３から引き出しやすくするための取っ手としても機能する。
【００３０】
正面板９は、複数枚あるうち最前面にあるカレンダー用紙２の暦表示面４を目視可能にした表示部１２と、その表示部１２の周囲に設けられた側枠３４とからなる。
【００３１】
表示部１２は、正面板９の略中央に略長方形状に開放されている。これにより、カレンダー用紙２がケース３の収納部１０に収納された状態で、表示部１２は、カレンダー用紙２の暦表示面４を表示させることができる。図１において、表示部１２は、略長方形状の四隅の角が曲率を帯びているが、これに限定されずに、カレンダー用紙２の暦表示面４のいずれかのカレンダーが少なくとも表示されていれば、四隅の角が曲率を帯びていなくても、いかなる形状であってもよい。また、表示部１２は、同様に暦表示面４を表示できるのであれば、透明なプラスチックフィルム等で覆われていてもよい。
【００３２】
側枠３４は、略長方形状の正面板９から正面板９の略中央にある表示部１２をくり貫いた形状である。側枠３４により、カレンダー用紙２が前に飛び出さずに収納部１０に収納可能としている。また、側枠３４の上辺部に１月〜１２月の各月の数字やその月に対応したイラストが記載されていれば、仮に突設部５に各月の数字が記載されていなくても、各カレンダー用紙２がどの月に該当するかの目印とすることができる。
【００３３】
図７は、最前面のカレンダー用紙２の突設部５を手で持ってケース３から引き出し、表示部１２に表示するカレンダー用紙２を入れ替えようとしている際の図である。図７では、４月のカレンダー用紙２が引き出され、その次にある５月のカレンダー用紙２が、少し見えている。４月のカレンダー用紙２は、ケース３の収納部１０から完全に抜き取られた後は、複数枚のカレンダー用紙２の束のいずれかの所に挿入して、ケース３の収納部１０に収納される。このとき、仮にカレンダー用紙２が所定の場所に挿入されていなくても、例えば、４月のカレンダー用紙２は、突設部５に「４」の数字が書かれているので、いかなる場所に挿入されたとしても視認することが可能となる。このような場合も、突設部５がインデックスとなっていることで、前述のとおり、自分が選びたい月を選びやすく、かつカレンダー用紙２を引き出したり、挿入したりすることが容易となる。
【００３４】
図８は、４月のカレンダー用紙２の暦表示面４を表示部１２に表示させながら、５月
のカレンダー用紙２を引き出して、４月と５月のカレンダーを同時に視認しながら、例
えば、５月７日に「打ち合わせ１０時」という予定を書き込んでいる図である。図８に示すように、連続する複数月に限らず、離れた月であったとしても、１年を通じて複数月のカレンダーを同時に視認しながら、当月とは異なる他の月のカレンダーに様々な予定を容易に書き込むことができる。
【００３５】
図９は、卓上カレンダー１の支持部材１８を組み立てる前の背面図を示している。図１０は、卓上カレンダー１の支持部材１８を組み立てて立脚状態にした際の背面図
を示している。図１１は、卓上カレンダー１の支持部材１８を組み立てて立脚状態にし、  
机上に置いた際の背面斜視図を示している。図１２は、卓上カレンダー１の支持部材
１８を組み立てて立脚状態にし、机上に置いた際の側面図を示している。
【００３６】
図１２に示すように、ケース３の背面板２０は、外側背面板１３と内側背面板１９から構成される。
【００３７】
外側背面板１３及び内側背面板１９は、それぞれの周縁上部の略中央に半円形状に切り込んだ切り込み部１４が形成されている。
【００３８】
切り込み部１４は、指で引っ掛けて、開放部１１の開口面積を広げることができる。これにより、ケース３の収納部１０から複数枚重ねたカレンダー用紙２をより簡単に引き出すことが可能となる。
【００３９】
また、外側背面板１３は、ケース３を立脚可能とする支持部材１８を有する。
【００４０】
支持部材１８は、図９に示すように、卓上カレンダー１の背面方向から向かって、上下左右の略中央に保持部１７を有し、その保持部１７に対して左右対称に右足部１５と、左足部１６とを有している。保持部１７は、切れ目線２７、３３、３４と折り目予定線２８とからなる。右足部１５は、切れ目線２１と折り目予定線２３、２４とからなる。左足部１６は、切れ目線２２と折り目予定線２５、２６とからなる。この折り目予定線２３、２４、２５、２６、２８をそれぞれ谷折りする。これにより、右足部１５の切れ目線２１と左足部１６の切れ目線２２と保持部１７の切れ目線２７、３３、３４がそれぞれ外側背面板１３より分離される。
【００４１】
その結果、右足部１５と左足部１６と保持部１７が図９の紙面に対して略垂直方向に向けて立ち上げられる。そして、保持部１７が完全に図９の平面上に対して垂直になると、保持部１７の窪み２９が右足部１５の窪み３１に、保持部１７の窪み３０が左足部１６の窪み３２に嵌合されて固定される。これにより卓上カレンダー１の背面板２０から支持部材１８が立脚状態となる。
【００４２】
図１３は、ケース３の展開図である。ケース３は、素材が紙であることにより、図１３のように展開できるように製作されている。図１３の展開図において、ケース３は、正面板９と右側面板３５と右側面保持部３６と左側面板３７と左側面保持部３８と下面板３９と外側背面板１３と内側背面板１９とからなる。外側背面板１３と内側背面板１９との間には、背面上部折り目予定線４０がある。下面板３９と外側背面板１３との間には、背面下部折り目予定線４１がある。正面板９と下面板３９との間には、正面下部折り目予定線４２がある。右側面板３５と右側面保持部３６との間には、右内側縦折り目予定線４３がある。正面板９と右側面板３５との間には、右外側縦折り目予定線４４がある。左側面板３７と左側面保持部３８との間には、左内側縦折り目予定線４５がある。正面板９と左側面板３７との間には、左外側縦折り目予定線４６がある。前記各折り目予定線４０、４１、４２、４３，４４、４５、４６の全てを山折りする。このとき、背面上部折り目予定線４０の山折りにより、外側背面板１３と内側背面板１９の間に空隙ができる。その空隙に背面から向かって左側より右側面保持部３６が挟み込まれ、背面から向かって右側より左側面保持部３８が挟み込まれることで、ケース３は、図９の状態まで組み立てることができる。そのうえで、前述のとおり、図１０のように支持部材１８を組み立てると、図４及び図１１に示されるように、卓上カレンダー１を机上に立脚状態にすることが可能となる。また、カレンダー用紙２とケース３の全ての素材を金属やプラスティック等でなく紙素材とすることにより、卓上カレンダー１は、製作単価を安くできる。それと同時に、紙素材とすることで省資源化で廃棄もしやすくなり、環境に優しいカレンダーにもなる。
【符号の説明】
【００４３】
１          卓上カレンダー
２          カレンダー用紙
３          ケース
４          暦表示面
５          突設部
６          当月のカレンダー
７          前月のカレンダー
８          次月のカレンダー
９          正面板
１０        収納部
１１        開放部
１２        表示部
１３        外側背面板
１４        切り込み部
１５        右足部
１６        左足部
１７        保持部
１８        支持部材
１９        内側背面板
２０        背面板
２１,２２,２７,３３,３４  切れ目線
２３,２４,２５,２６,２８  折り目予定線
２９,３０,３１,３２       窪み
３５        右側面板
３６        右側面保持部
３７        左側面板
３８        左側面保持部
３９        下面板
４０        背面上部折り目予定線
４１        背面下部折り目予定線
４２        正面下部折り目予定線
４３        右内側縦折り目予定線
４４        右外側縦折り目予定線
４５        左内側縦折り目予定線
４６        左外側縦折り目予定線
【図１】
0003178132.tif 000003
【図２】
0003178132.tif 000004
【図３】
0003178132.tif 000005
【図４】
0003178132.tif 000006
【図５】
0003178132.tif 000007
【図６】
0003178132.tif 000008
【図７】
0003178132.tif 000009
【図８】
0003178132.tif 000010
【図９】
0003178132.tif 000011
【図１０】
0003178132.tif 000012
【図１１】
0003178132.tif 000013
【図１２】
0003178132.tif 000014
【図１３】
0003178132.tif 000015